(57)【要約】【課題】３００ＭＨｚ帯の微弱無線（近距離無線）でバッテリレスで動作する携帯型無線端末を実現する。【解決手段】携帯型無線送信端末１０を運動エネルギー又は熱エネルギーを電力に変換する電力変換器１１と該電力変換器１１からの電力により動作し３００ＭＨｚ帯の信号を発生する送信回路１２とを装備するよう構成する。携帯型無線受信端末２０を光エネルギーを電力に変換する電力変換器２１と該電力変換器２１からの電力により動作し３００ＭＨｚ帯の信号を受信する受信回路２２と前記受信の内容を表示する表示器２３とを装備するよう構成する。【選択図】　図１
2004015548.tif 000002
【特許請求の範囲】
【請求項１】
運動エネルギー又は熱エネルギーを電力に変換する電力変換器と、該電力変換器からの電力により動作し３００ＭＨｚ帯の送信信号を発生する送信回路とを具備することを特徴とする携帯型無線送信端末。
【請求項２】
光エネルギーを電力に変換する電力変換器と、該電力変換器からの電力により動作し３００ＭＨｚ帯の信号を受信する受信回路と、前記受信の内容を表示する表示器とを具備することを特徴とする携帯型無線受信端末。
【請求項３】
前記電力変換器は、ゼンマイ型発電機又は熱電素子からなることを特徴とする請求項１に記載の携帯型無線送信端末。
【請求項４】
前記電力変換器は、前記表示器を兼ねる太陽電池からなることを特徴とする請求項２に記載の携帯型無線受信端末。
【請求項５】
ページャ用受信回路を具備することを特徴とする請求項２に記載の携帯型無線受信端末。
【発明の詳細な説明】
【０００１】
【発明の属する技術分野】
本発明は、３００ＭＨｚ帯で動作し蓄電池を必要としない携帯型無線送信端末及び携帯型無線受信端末に関するものである。
【０００２】
【従来の技術】
自然エネルギー源を利用したバッテリレス端末として、太陽電池を用いた電波時計がある。図６は送信アンテナ６０から到来する６０ＫＨｚ帯の長波の無線電波を定期的に受信して電波時計７０が時刻修正を行うシステムを示す図で、電波時計７０には数十マイクロワットの電力を発電する太陽電池７１、受信回路７２、時計７３、アンテナ７４等が装備されている。
【０００３】
【発明が解決しようとする課題】
ところが、このシステムでは、送信アンテナ６０に鉄塔等の長い大きなアンテナ設備が必要となり、また送信に大電力を必要とし、さらに受信回路７２で長波以外の無線を受信するには、太陽電池７１の発電電力が小さすぎる等の、モバイルコミュニケーションとしては、問題があった。
【０００４】
本発明の目的は、自然エネルギーのみで３００ＭＨｚ帯の無線の送受信が可能となる携帯型無線送信端末および携帯型無線受信端末を提供することである。
【０００５】
【課題を解決するための手段】
請求項１にかかる発明は、運動エネルギー又は熱エネルギーを電力に変換する電力変換器と、該電力変換器からの電力により動作し３００ＭＨｚ帯の送信信号を発生する送信回路とを具備することを特徴とする携帯型無線送信端末とした。
【０００６】
請求項２にかかる発明は、光エネルギーを電力に変換する電力変換器と、該電力変換器からの電力により動作し３００ＭＨｚ帯の信号を受信する受信回路と、前記受信の内容を表示する表示器とを具備することを特徴とする携帯型無線受信端末とした。
【０００７】
請求項３にかかる発明は、請求項１にかかる発明において、前記電力変換器は、ゼンマイ型発電機又は熱電素子からなることを特徴とする携帯型無線送信端末とした。
【０００８】
請求項４にかかる発明は、請求項２にかかる発明において、前記電力変換器は、前記表示器を兼ねる太陽電池からなることを特徴とする携帯型無線受信端末とした。
【０００９】
請求項５にかかる発明は、請求項２にかかる発明において、ページャ用受信回路を具備することを特徴とする携帯型無線受信端末とした。
【００１０】
【発明の実施の形態】
［第１の実施形態］
図１は第１の実施形態を示す図で、３００ＭＨｚ帯の微弱無線（近距離無線）通信システムを示す図である。１０は携帯型無線送信端末であり、ゼンマイ駆動型の発電機や半導体の熱電素子等により運動エネルギーや熱エネルギー等を電力に変換する電力変換器１１と、３００ＭＨｚ帯の無線送信を行う送信回路１２と、アンテナ１３とを具備する。送信回路１２は数ｍＷ〜１０ｍＷの消費電力のＬＳＩで構成され、電力変換器１１で得られた微弱電力で動作し、３００ＭＨｚ帯の微弱無線電波を発生し、アンテナ１３から送信する。運動エネルギーを利用する例として、ゼンマイ駆動型発電機の他に、振る、物を置くといった瞬間的な動作で発電機を回すようにした電力変換器も使用可能である。
【００１１】
２０は携帯型無線受信端末であり、光エネルギーを電気エネルギーに変換する太陽電池等からなる電力変換器２１と、３００ＭＨｚ帯の無線受信を行う受信回路２２と、受信内容を表示する表示器２３と、アンテナ２４とを具備する。電力変換器２１として太陽電池を使用するときは、その太陽電池を表示器２３と兼用することにより、その受光面積を大きくでき、比較的大きな電力を得ることができる。受信回路２２は、数ｍＷ〜１００ｍＷの消費電力のＬＳＩで構成され、電力変換器２１で得られた電力で動作し、アンテナ２４で受信された３００ＭＨｚ帯の微弱無線電波を受信しその内容を表示器２３で表示する。
【００１２】
このシステムでは、携帯型無線送信端末１０においてゼンマイ駆動型発電機を電力変換器２１として使用し、予め決めた内容をその携帯型無線送信端末１０から３００ＭＨｚ帯の無線電波で送信し、それを携帯型無線受信端末２０で受信し表示させるバッテリレス通信が可能となる。
【００１３】
また、人が物を置くといった動作や人が触れるという自然な動作による運動エネルギーや熱エネルギーを電力変換器１１で電力に変換し、これを携帯型無線送信端末１０から３００ＭＨｚ帯の無線電波で送信し、それを携帯型無線受信端末２０で受信し表示することで、バッテリレスで人の動作のセンシングを行うことも可能となる。
【００１４】
［第２の実施形態］
図２は第２の実施形態を示す図で、図１に記載の携帯型無線送信端末１０を３００ＭＨｚ帯の微弱無線（近距離無線）を介してネットワーク４０に接続したシステムを示す図である。ネットワーク４０に対してコンピュータ（又は携帯電話）３０Ａ，３０Ｂが接続され、一方のコンピュータ３０Ａが携帯型無線送信端末１０と微弱無線で接続され、その携帯型無線送信端末１０からの送信データをコンピュータ３０Ｂが受信できるようになっている。
【００１５】
このシステムでは、携帯型無線送信端末１０を運動エネルギーや熱エネルギーを利用した人の動作のセンシング機構として使用すれば、人の安否等をネットワーク４０を介して、遠隔地のコンピュータ３０Ｂで確認・管理することが可能となる。
【００１６】
［第３の実施形態］
図３は第３の実施形態を示す図で、図１に記載の携帯型無線受信端末２０を３００ＭＨｚ帯の微弱無線を介してネットワーク４０に接続したシステムを示す図である。ネットワーク４０に対してコンピュータ（又は携帯電話）３０Ａ，３０Ｂが接続され、一方のコンピュータ３０Ｂが携帯型無線受信端末２０と微弱無線で接続されている。
【００１７】
このシステムでは、コンピュータ３０Ａで送信したデータを、ネットワーク４０とコンピュータ３０Ｂを介して、携帯型無線受信端末２０において、バッテリレスで受信し表示させることが可能となる。
【００１８】
［第４の実施形態］
図４は第４の実施形態を示す図で、図１に記載の携帯型無線受信端末２０の受信回路２２をページャ用受信回路に変更した携帯型無線受信端末２０Ａを３００ＭＨｚ帯の微弱無線を介してネットワーク４０に接続したシステムを示す図である。ネットワーク４０に対してコンピュータ３０Ａとページャ用（ポケットベルシステム用）サーバ５０が接続され、そのページャ用サーバ５０と携帯型無線受信端末２０Ａが３００ＭＨｚ帯の微弱無線のページャ網で接続されている。
【００１９】
このシステムでは、コンピュータ３０Ａで送信したページャ網のデータを、ネットワーク４０とページャ用サーバ５０を介して、携帯型無線受信端末２０Ａにおいて、バッテリレスで受信し表示させることが可能となる。
【００２０】
［第５の実施形態］
図５は第５の実施形態を示す図で、図１に記載の携帯型無線送信端末１０と携帯型無線受信端末２０を３００ＭＨｚ帯の微弱無線を介してネットワーク４０に接続したシステムを示す図である。携帯型無線送信端末１０はコンピュータ３０Ａを介して、携帯型無線受信端末２０はコンピュータ３０Ｂを介して、それぞれネットワーク４０に接続されている。
【００２１】
このシステムでは、携帯型無線送信端末１０で送信したデータをネットワーク４０を介して携帯型無線受信端末２０に送ることができ、バッテリレスで遠隔表示が可能となる。
【００２２】
【発明の効果】
以上から本発明によれば、３００ＭＨｚ帯の微弱無線（近距離無線）による送信或いは受信可能なバッテリレスの携帯型無線端末を得ることができる。
【図面の簡単な説明】
【図１】第１の実施形態を示す図で、携帯型無線送信端末と携帯型無線受信端末による３００ＭＨｚ帯の微弱無線通信システムの説明図である。
【図２】第２の実施形態を示す図で、携帯型無線送信端末を３００ＭＨｚ帯の微弱無線を介してネットワークに接続したシステムの説明図である。
【図３】第３の実施形態を示す図で、携帯型無線受信端末を３００ＭＨｚ帯の微弱無線を介してネットワークに接続したシステムの説明図である。
【図４】第４の実施形態を示す図で、ページャ受信機能をもつ携帯型無線受信端末を３００ＭＨｚ帯の微弱無線のページャ網を介してネットワークに接続したシステムの説明図である。
【図５】第５の実施形態を示す図で、携帯型無線受信端末と携帯型携帯型無線受信端末を３００ＭＨｚ帯の微弱無線を介してネットワークに接続したシステムの説明図である。
【図６】従来の電波時計の時刻修正システムの説明図である。
【符号の説明】
１０：携帯型無線送信端末
２０，２０Ａ：携帯型無線受信端末
３０Ａ，３０Ｂ：コンピュータ（又は携帯電話）
４０：ネットワーク
５０：ページャ用サーバ
【図１】
2004015548.tif 000003
【図２】
2004015548.tif 000004
【図３】
2004015548.tif 000005
【図４】
2004015548.tif 000006
【図５】
2004015548.tif 000007
【図６】
2004015548.tif 000008